【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
あるタイプの商品の市場において、各取引注文が係る価格を有する取引注文を複数の取引者から受け付けるステップと、
前記取引注文が実行されるように、前記受け付けた取引注文のそれぞれを取引所に発注するステップと、
ある取引注文の価格が少なくとも１つの比較対象価格と閾値以上乖離しているか判断するステップと、
前記ある取引注文の価格により取引しようとするもとの価格を有する後の取引注文をある取引者から受け付けるステップと、
前記ある取引注文の価格が前記少なくとも１つの比較対象価格と前記閾値以上乖離していると判断された場合、前記ある取引注文の価格により取引しようとするもとの価格を有する後の取引注文を受け付けることに応答して、前記後の取引注文に関する警告メッセージを前記取引者に通信し、少なくとも前記警告メッセージ対する応答が前記取引者から受け付けされるまで、前記後の取引注文が前記ある取引注文により取引されることを回避するステップと、
を有する取引管理方法。
【請求項２】
前記少なくとも前記警告メッセージ対する応答が前記取引者から受け付けされるまで、後の取引注文が前記ある取引注文により取引されることを回避するステップは、少なくとも前記警告メッセージに対する応答が前記取引者から受け付けされるまで、前記後の取引注文を前記取引所に発注することを回避することから構成される、請求項１記載の方法。
【請求項３】
前記ある取引注文は、係るオファー価格を有するある売り注文であり、
前記ある取引注文の価格が少なくとも１つの比較対象価格と閾値以上乖離しているか判断するステップは、前記ある売り注文のオファー価格が既存のある買い注文のビッド価格を閾値以上上回っているか判断することから構成される、請求項１記載の方法。
【請求項４】
前記ある取引注文は、係るビッド価格を有するある買い注文であり、
前記ある取引注文の価格が少なくとも１つの比較対象価格と閾値以上乖離しているか判断するステップは、前記ある買い注文のビッド価格が既存のある売り注文のオファー価格を閾値以上下回っているか判断することから構成される、請求項１記載の方法。
【請求項５】
前記ある取引注文の価格が少なくとも１つの比較対象価格と閾値以上乖離しているか判断するステップは、前記ある取引注文の価格が前の取引の価格を閾値以上乖離しているか判断することから構成される、請求項１記載の方法。
【請求項６】
前記ある取引注文は、係るオファー価格を有するある売り注文であり、
前記前記ある取引注文の価格により取引しようとするもとの価格を有する後の取引注文をある取引者から受け付けるステップは、前記ある売り注文のオファー価格以上のもとのビッド価格を有する後の買い注文を前記取引者から受け付けることから構成され、
前記後の取引注文に関する警告メッセージを前記取引者に通信するステップは、前記後の買い注文に関する警告メッセージを前記取引者に通信することから構成される、請求項１記載の方法。
【請求項７】
前記後の買い注文のもとのビッド価格は、整数部分と端数部分とを有し、
当該方法はさらに、
前記もとのビッド価格の整数部分を変更することによって、前記後の買い注文の提案された変更後のビッド価格を決定し、前記後の買い注文に対する前記提案された変更後のビッド価格を示す警告メッセージを生成し、前記取引者に前記提案された変更後のビッド価格を認容又は拒絶するよう要求することを含む、前記後の買い注文に関する警告メッセージを生成するステップを有する、請求項６記載の方法。
【請求項８】
前記ある取引注文の価格が少なくとも１つの比較対象価格と閾値以上乖離しているか判断するステップは、前記ある売り注文のオファー価格が既存のある買い注文のビッド価格を閾値以上上回っているか判断することから構成され、
前記既存のある買い注文のビッド価格は、整数部分と端数部分とを有し、
前記後の買い注文のもとのビッド価格の整数部分の変更は、前記既存のある買い注文のビッド価格の整数部分に一致するように、前記後の買い注文のもとのビッド価格の整数部分を変更することから構成される、請求項７記載の方法。
【請求項９】
前記ある取引注文の価格が少なくとも１つの比較対象価格と閾値以上乖離しているか判断するステップは、前記ある売り注文のオファー価格が前の取引価格を閾値以上上回っているか判断することから構成され、
前記前の取引価格は、整数部分と端数部分とを有し、
前記後の買い注文のもとのビッド価格の整数部分の変更は、前記前の取引価格の整数部分に一致するように、前記後の買い注文のもとのビッド価格の整数部分を変更することから構成される、請求項７記載の方法。
【請求項１０】
前記ある取引注文は、係るビッド価格を有するある買い注文であり、
後の取引注文を受け付けるステップは、前記ある買い注文のビッド価格以下のもとのオファー価格を有する後の売り注文を前記取引者から受け付けることから構成され、
前記後の取引注文に関する警告メッセージを前記取引者に通信するステップは、前記後の売り注文に関する警告メッセージを前記取引者に通信することから構成される、請求項１記載の方法。
【請求項１１】
前記後の売り注文のもとのオファー価格は、整数部分と端数部分とを有し、
当該方法はさらに、
前記もとのオファー価格の整数部分を変更することによって、前記後の売り注文の提案された変更後のオファー価格を決定し、前記後の売り注文に対する前記提案された変更後のオファー価格を示す警告メッセージを生成し、前記取引者に前記提案された変更後のオファー価格を認容又は拒絶するよう要求することを含む、前記後の売り注文に関する警告メッセージを生成するステップを有する、請求項１０記載の方法。
【請求項１２】
前記ある取引注文の価格が少なくとも１つの比較対象価格と閾値以上乖離しているか判断するステップは、前記ある買い注文のビッド価格が既存のある売り注文のオファー価格を閾値以上下回っているか判断することから構成され、
前記既存のある売り注文のオファー価格は、整数部分と端数部分とを有し、
前記後の売り注文のもとのオファー価格の整数部分の変更は、前記既存のある売り注文のオファー価格の整数部分に一致するように、前記後の売り注文のもとのオファー価格の整数部分を変更することから構成される、請求項１１記載の方法。
【請求項１３】
前記ある取引注文の価格が少なくとも１つの比較対象価格と閾値以上乖離しているか判断するステップは、前記ある買い注文のビッド価格が前の取引価格を閾値以上下回っているか判断することから構成され、
前記前の取引価格は、整数部分と端数部分とを有し、
前記後の売り注文のもとのオファー価格の整数部分の変更は、前記前の取引価格の整数部分に一致するように、前記後の売り注文のもとのオファー価格の整数部分を変更することから構成される、請求項１１記載の方法。
【請求項１４】
前記後の取引注文に関する警告メッセージは、前記後の取引注文に対する提案された変更後の価格を示し、
当該方法はさらに、前記取引者が前記後の取引注文に対する提案された変更後の価格を認容又は拒絶するか否か示す前記警告メッセージに対する応答を前記取引者から受け付けるステップを有する、請求項１記載の方法。
【請求項１５】
前記取引者が前記提案された変更後の価格を認容すると前記応答が示す場合、前記提案された変更後の価格により前記後の取引注文を前記取引所に発注するステップをさらに有する、請求項１４記載の方法。
【請求項１６】
前記取引者が前記後の取引注文に対する提案された変更後の価格を拒絶していることを示す前記警告メッセージに対する応答を前記取引者から受け付けるステップと、
前記後の取引注文と前記ある取引注文との間の取引を実行するステップと、
をさらに有する、請求項１４記載の方法。
【請求項１７】
前記取引者が前記後の取引注文に対する提案された変更後の価格を拒絶していることを示す前記警告メッセージ対する応答を前記取引者から受け付けるステップと、
前記後の取引注文のもとの価格により再提示された前記後の取引注文を前記取引者から受け付けるステップと、
前記後の取引注文と前記ある取引注文との間の取引を実行するステップと、
をさらに有する、請求項１４記載の方法。
【請求項１８】
前記発注するステップは、複数の取引注文スタックの１つにおける前記受け付けた取引注文のそれぞれを発注することから構成され、
当該方法はさらに、前記ある取引注文を各自の取引注文スタックの先頭に移すステップを有し、
前記ある取引注文が前記各自の取引注文スタックの先頭に移されることに応答して、前記ある取引注文の価格が少なくとも１つの比較対象価格と閾値以上乖離しているか否か判断される、請求項１記載の方法。
【請求項１９】
前記ある取引注文は、１以上の他の取引注文が前記取引注文スタックから削除された結果として、前記各自の取引注文スタックの先頭に移される、請求項１８記載の方法。
【請求項２０】
前記受け付けた取引注文は、各買い注文が係るビッド価格を有し、各売り注文が係るオファー価格を有する買い注文と売り注文とを有し、
前記複数の取引注文スタックの１つにおける前記受け付けた取引注文のそれぞれを発注することは、買い注文スタックの各買い注文と売り注文スタックの各売り注文とを発注することから構成され、
前記ある取引注文は、前記売り注文スタックのある売り注文であり、
前記ある取引注文を各自の取引注文スタックの先頭に移すステップは、前記ある売り注文を前記売り注文スタックの先頭に移すことから構成される、請求項１８記載の方法。
【請求項２１】
前記ある取引注文の価格が少なくとも１つの比較対象価格と閾値以上乖離しているか判断するステップは、前記ある売り注文が前記売り注文スタックの先頭に移される時点において、前記売り注文のオファー価格が前記買い注文スタックのある買い注文のビッド価格を前記閾値以上上回っているか判断することから構成される、請求項２０記載の方法。
【請求項２２】
前記ある取引注文の価格が少なくとも１つの比較対象価格と閾値以上乖離しているか判断するステップは、前記ある売り注文が前記売り注文スタックの先頭に移される時点において、前記売り注文のオファー価格が前の取引価格を前記閾値以上上回っているか判断することから構成される、請求項２０記載の方法。
【請求項２３】
前記受け付けた取引注文は、各買い注文が係るビッド価格を有し、各売り注文が係るオファー価格を有する買い注文と売り注文とを有し、
前記複数の取引注文スタックの１つにおける前記受け付けた取引注文のそれぞれを発注するステップは、買い注文スタックの各買い注文と、売り注文スタックの各売り注文とを発注することから構成され、
前記ある取引注文は、前記買い注文スタックのある買い注文であり、
前記ある取引注文を各自の取引注文スタックの先頭に移すステップは、前記ある買い注文を前記買い注文スタックの先頭に移すことから構成される、請求項１８記載の方法。
【請求項２４】
前記ある取引注文の価格が少なくとも１つの比較対象価格と閾値以上乖離しているか判断するステップは、前記ある買い注文が前記買い注文スタックの先頭に移された時点において、前記ある買い注文のビッド価格が前記売り注文スタックのある売り注文のオファー価格を前記閾値以上下回っているか判断することから構成される、請求項２３記載の方法。
【請求項２５】
前記ある取引注文の価格が少なくとも１つの比較対象価格と閾値以上乖離しているか判断するステップは、前記ある買い注文が前記買い注文スタックの先頭に移された時点において、前記ある買い注文のビッド価格が前の取引価格を前記閾値以上下回っているか判断することから構成される、請求項２３記載の方法。
【請求項２６】
１以上の市場のボラティリティを推定するステップと、
前記１以上の市場の推定されたボラティリティに少なくとも基づき、前記閾値を更新するステップと、
をさらに有する、請求項１記載の方法。
【請求項２７】
前記１以上の市場のボラティリティは、実質的にリアルタイムに推定され、
前記閾値は、前記１以上の市場の推定されたボラティリティに少なくとも基づき、実質的にリアルタイムに自動更新される、請求項２６記載の方法。
【請求項２８】
前記あるタイプの商品に対して前記市場のボラティリティを推定するステップと、
前記あるタイプの商品に対して推定された前記市場のボラティリティに少なくとも基づき、前記閾値を更新するステップと、
をさらに有する、請求項２６記載の方法。
【請求項２９】
前記あるタイプの商品に対する市場に関連する市場から構成される関連市場のボラティリティを推定するステップと、
前記関連市場の推定されるボラティリティに少なくとも基づき、前記閾値を更新するステップと、
をさらに有する、請求項２６記載の方法。
【請求項３０】
前記関連市場のボラティリティと前記あるタイプの商品に対する市場のボラティリティとの間の関係に関する既知のボラティリティ情報を格納するステップと、
前記関連市場の推定されるボラティリティと前記既知のボラティリティ情報とに基づき、前記あるタイプの商品に対する市場のボラティリティを推定するステップと、
をさらに有し、
前記関連市場の推定されるボラティリティに少なくとも基づき前記閾値を更新するステップは、前記あるタイプの商品に対する前記市場の推定されるボラティリティに少なくとも基づき、前記閾値を更新することから構成される、請求項２９記載の方法。
【請求項３１】
前記あるタイプの商品に対する前記市場に関連する市場から構成される関連市場における価格推移を示す価格推移情報を受け付けるステップと、
前記受け付けた価格推移情報に少なくとも基づき、前記閾値を更新するステップと、
をさらに有する、請求項１記載の方法。
【請求項３２】
前記関連市場の価格推移と前記あるタイプの商品に対する前記市場の価格推移との間の関係に関する既知のボラティリティ情報を格納するステップをさらに有し、
前記閾値は、前記受け付けた価格推移情報と前記格納されている既知のボラティリティ情報とに少なくとも基づき更新される、請求項３１記載の方法。
【請求項３３】
前記価格推移情報を実質的にリアルタイムに受け付けるステップと、
前記実質的にリアルタイムに受け付けた価格推移情報に少なくとも部分的に基づき、前記閾値を自動更新するステップと、
をさらに有する、請求項３１記載の方法。
【請求項３４】
あるタイプの商品に対する市場において、各取引注文が係る価格を有する取引注文を複数の取引者から受け付けるステップと、
前記取引注文が実行されるように、前記受け付けた取引注文のそれぞれを取引所に発注するステップと、
ある取引注文の価格が前の取引価格を閾値以上乖離しているか判断するステップと、
前記ある取引注文の価格が前の取引価格を閾値以上乖離していると判断された場合、前記ある取引注文に関する制限的アクションを実行するステップと、
を有する取引管理方法。
【請求項３５】
前記前の取引価格は、前記あるタイプの商品に対する市場における直近の前の取引が実行された価格から構成される、請求項３４記載の方法。
【請求項３６】
前記受け付けた取引価格は、各買い注文が係るビッド価格を有し、各売り注文が係るオファー価格を有する買い注文と売り注文とを有し、
前記ある取引注文の価格が前の取引価格を閾値以上乖離しているか判断するステップは、ある売り注文のオファー価格が前記前の取引価格を閾値以上上回っているか判断することから構成される、請求項３４記載の方法。
【請求項３７】
前記受け付けた取引注文は、各買い注文が係るビッド価格を有し、各売り注文が係るオファー価格を有する買い注文と売り注文とを有し、
前記ある取引注文の価格が前の取引価格を閾値以上乖離しているか判断するステップは、ある買い注文のビッド価格が前記前の取引価格を閾値以上下回っているか判断することから構成される、請求項３４記載の方法。
【請求項３８】
前記受け付けた取引注文のそれぞれを取引所に発注するステップは、複数の取引注文スタックの１つに前記受け付けた取引注文のそれぞれを発注することから構成され、
当該方法はさらに、前記ある取引注文を各自の取引注文スタックの先頭に移すステップを有し、
前記ある取引注文が各自の取引注文スタックの先頭に移されることに応答して、前記ある取引注文の価格が前の取引価格を閾値以上乖離しているか判断される、請求項３８記載の方法。
【請求項３９】
前記受け付けた取引価格は、各買い注文が係るビッド価格を有し、各売り注文が係るオファー価格を有する買い注文と売り注文とを有し、
前記複数の取引注文スタックの１つに前記受け付けた取引注文のそれぞれを発注するステップは、買い注文スタックの各買い注文と、売り注文スタックの各売り注文とを発注することから構成され、
前記ある取引注文は、前記売り注文スタックのある売り注文であり、
前記ある取引注文を各自の取引注文スタックの先頭に移すステップは、前記ある売り注文を前記売り注文スタックの先頭に移すことから構成される、請求項３８記載の方法。
【請求項４０】
前記受け付けた取引価格は、各買い注文が係るビッド価格を有し、各売り注文が係るオファー価格を有する買い注文と売り注文とを有し、
前記複数の取引注文スタックの１つに前記受け付けた取引注文のそれぞれを発注するステップは、買い注文スタックの各買い注文と、売り注文スタックの各売り注文とを発注することから構成され、
前記ある取引注文は、前記買い注文スタックのある買い注文であり、
前記ある取引注文を各自の取引注文スタックの先頭に移すステップは、前記ある買い注文を前記買い注文スタックの先頭に移すことから構成される、請求項３８記載の方法。
【請求項４１】
前記ある取引注文の価格により取引するもとの価格を有する後の取引注文をある取引者から受け付けるステップをさらに有し、
前記ある取引注文に関する制限的アクションを実行するステップは、
前記後の取引注文に関する警告メッセージを生成するステップと、
前記警告メッセージを前記取引者に通信するステップと、
少なくとも前記警告メッセージに対する応答が前記取引者から受け付けされるまで、前記後の取引注文が前記ある取引注文により取引されることを回避するステップと、
を有する、請求項３４記載の方法。
【請求項４２】
前記ある取引注文に関する制限的アクションを実行するステップはさらに、少なくとも前記警告に対する応答が前記取引者から受け付けされるまで、前記後の取引注文が前記取引所に発注されることを回避するステップを有する、請求項４１記載の方法。
【請求項４３】
前記ある取引注文は、係るオファー価格を有するある売り注文であり、
前記ある取引注文の価格により取引するもとの価格を有する後の取引注文をある取引者から受け付けるステップは、前記ある売り注文のオファー価格以上のもとのビッド価格を有する後の買い注文を前記取引者から受け付けることから構成され、
前記ある取引注文に関する制限的アクションを実行するステップは、
前記後の買い注文に関する警告メッセージを生成するステップと、
前記警告メッセージを前記取引者に通信するステップと、
少なくとも前記警告メッセージに対する応答が前記取引者から受け付けされるまで、前記後の買い注文が前記ある売り注文により取引されることを回避するステップと、
を有する、請求項４１記載の方法。
【請求項４４】
前記後の買い注文のもとのビッド価格は、整数部分と端数部分とを有し、
前記警告メッセージを生成するステップは、
前記もとのビッド価格の整数部分を変更することによって、前記後の買い注文の提案された変更後のビッド価格を決定するステップと、
前記後の買い注文に対する提案された変更後のビッド価格を示し、前記取引者に前記提案された変更後のビッド価格を認容又は拒絶するよう要求する警告メッセージを生成するステップと、
を有する、請求項４３記載の方法。
【請求項４５】
前記前の取引価格は、整数部分と端数部分とを有し、
前記後の買い注文のもとのビッド価格の整数部分の変更は、前記前の取引価格の整数部分に一致するように、前記後の買い注文のもとのビッド価格の整数部分を変更することから構成される、請求項４４記載の方法。
【請求項４６】
前記ある取引注文は、係るビッド価格を有するある買い注文であり、
前記ある取引注文の価格により取引するもとの価格を有する後の売り注文をある取引者から受け付けるステップは、前記ある買い注文のビッド価格以下のもとのオファー価格を有する後の売り注文を前記取引者から受け付けることから構成され、
前記ある取引注文に関する制限的アクションを実行するステップは、
前記後の売り注文に関する警告メッセージを生成するステップと、
前記警告メッセージを前記取引者に通信するステップと、
少なくとも前記警告メッセージに対する応答が前記取引者から受け付けされるまで、前記後の売り注文が前記ある買い注文により取引されることを回避するステップと、
を有する、請求項４１記載の方法。
【請求項４７】
前記後の売り注文のもとのオファー価格は、整数部分と端数部分とを有し、
前記警告メッセージを生成するステップは、
前記もとのオファー価格の整数部分を変更することによって、前記後の売り注文の提案された変更後のオファー価格を決定するステップと、
前記後の売り注文に対する提案された変更後のオファー価格を示し、前記取引者が前記提案された変更後のオファー価格を認容又は拒絶することを要求する警告メッセージを生成するステップと、
を有する、請求項４６記載の方法。
【請求項４８】
前記前の取引価格は、整数部分と端数部分とを有し、
前記後の売り注文のもとのオファー価格の整数部分の変更は、前記前の取引価格の整数部分に一致するように、前記後の売り注文のもとのオファー価格の整数部分を変更することから構成される、請求項４７記載の方法。
【請求項４９】
１以上の市場のボラティリティを推定するステップと、
前記１以上の市場のボラティリティに少なくとも基づき、前記閾値を更新するステップと、
をさらに有する請求項３４記載の方法。
【請求項５０】
前記あるタイプの商品に対する市場に関連する市場から構成される関連市場における価格推移を示す価格推移情報を受け付けるステップと、
前記受け付けた価格推移情報に少なくとも基づき、前記閾値を更新するステップと、
をさらに有する、請求項３４記載の方法。
【請求項５１】
あるタイプの商品に対する市場において、各取引注文が係る価格を有する取引注文を複数の取引者から受け付けるステップと、
複数の取引注文スタックの１つに前記受け付けた取引注文のそれぞれを発注することを含む、前記取引注文が実行されるように、前記受け付けた取引注文のそれぞれを取引所に発注するステップと、
ある取引注文の価格が少なくとも１つの比較対象価格を閾値以上乖離しているか判断するステップと、
前記ある取引注文の価格が少なくとも１つの比較対象価格を前記閾値以上乖離していると判断された場合、各自の取引注文スタック内での前記ある取引注文の移動を制限するステップと、
を有する取引管理方法。
【請求項５２】
前記各自の取引注文スタック内での前記ある取引注文の移動を制限するステップは、前記各自の取引スタック内での前記ある取引注文の移動を少なくとも一時的に回避することから構成される、請求項５１記載の方法。
【請求項５３】
前記ある取引注文の価格が少なくとも１つの比較対象価格を前記閾値以上乖離していると判断された場合、前記ある取引注文を各自の取引注文スタック内で移すステップを有する、請求項５１記載の方法。
【請求項５４】
前記ある取引注文の価格により取引するもとの価格を有する後の取引注文をある取引者から受け付けるステップをさらに有し、
前記ある取引注文に関する制限的アクションを実行するステップはさらに、
前記後の取引注文に関する警告メッセージを生成するステップと、
前記警告メッセージを前記取引者に通信するステップと、
少なくとも前記警告メッセージに対する応答が前記取引者から受け付けされるまで、前記後の取引注文が前記ある取引注文により取引されることを回避するステップと、
を有する、請求項５１記載の方法。
【請求項５５】
前記ある取引注文に関する制限的アクションを実行するステップはさらに、少なくとも前記警告メッセージ対する応答が前記取引者から受け付けされるまで、前記後の取引注文が前記取引所に発注されることを回避するステップを有する、請求項５４記載の方法。
【請求項５６】
前記あるタイプの商品に対する市場に関連する１以上の市場に関する市場情報を受け付けるステップをさらに有し、
前記ある取引注文の価格が少なくとも１つの比較対象価格を閾値以上乖離しているか判断するステップは、前記受け付けた市場情報に少なくとも基づき、ある取引注文の価格が少なくとも１つの比較対象価格を閾値以上乖離しているか判断するか判断することから構成される、請求項５１記載の方法。
【請求項５７】
前記受け付けた市場情報に少なくとも基づき、前記あるタイプの商品に対する現在の市場価格を決定するステップをさらに有し、
前記ある取引注文の価格が少なくとも１つの比較対象価格を閾値以上乖離しているか判断するステップは、前記ある取引注文の価格が前記決定された現在の市場価格を閾値以上乖離しているか判断することから構成される、請求項５６記載の方法。
【請求項５８】
前記あるタイプの商品に対する市場に関連する１以上の市場に関する市場情報を受け付けるステップと、
前記受け付けた市場情報に少なくとも基づき、前記あるタイプの商品に対する現在の市場価格を決定するステップと、
をさらに有し、
前記ある取引注文の価格が少なくとも１つの比較対象価格を閾値以上乖離しているか判断するステップは、
前記ある取引の価格が前の取引価格を第１の現在閾値以上乖離しているか否かの第１の判断を実行するステップと、
前記ある取引の価格が既存の他の取引注文を第２の現在閾値以上乖離しているか否かの第２の判断を実行するステップと、
前記ある取引の価格が前記決定された現在市場価格を第３の現在閾値以上乖離しているか否かの第３の判断を実行するステップと、
を有する、請求項５１記載の方法。
【請求項５９】
前記第１、第２及び第３の現在閾値は同一である、請求項５８記載の方法。
【請求項６０】
１以上の市場のボラティリティを推定するステップと、
前記１以上の市場の推定されたボラティリティに少なくとも基づき、前記第１、第２及び第３の現在閾値の少なくとも１つを更新するステップと、
をさらに有する、請求項５８記載の方法。
【請求項６１】
前記あるタイプの商品に対する市場に関連する市場から構成される関連市場における価格推移を示す価格推移情報を受け付けるステップと、
前記受け付けた価格推移情報に少なくとも基づき、前記第１、第２及び第３の現在閾値の少なくとも１つを更新するステップと、
をさらに有する、請求項５８記載の方法。
【請求項６２】
前記第１の判断が、前記ある取引の価格が前記前の取引価格を第１の現在閾値以上乖離していることを示す場合、
前記第２の判断が、前記ある取引の価格が前記他の既存の取引注文を第２の現在閾値以上乖離していることを示す場合、
前記第３の判断が、前記ある取引の価格が前記決定された現在の市場価格を第３の現在閾値以上乖離していることを示す場合、
の少なくとも１つが真である場合、前記ある取引注文の価格は、少なくとも１つの比較対象価格を閾値以上乖離していると判断される、請求項５８記載の方法。
【請求項６３】
前記第１の判断が、前記ある取引の価格が前記前の取引価格を第１の現在閾値以上乖離していることを示す場合、
前記第２の判断が、前記ある取引の価格が前記他の既存の取引注文を第２の現在閾値以上乖離していることを示す場合、
前記第３の判断が、前記ある取引の価格が前記決定された現在の市場価格を第３の現在閾値以上乖離していることを示す場合、
の少なくとも２つが真である場合、前記ある取引注文の価格は、少なくとも１つの比較対象価格を閾値以上乖離していると判断される、請求項５８記載の方法。
【請求項６４】
前記第１の判断が、前記ある取引の価格が前記前の取引価格を第１の現在閾値以上乖離していることを示す場合、
前記第２の判断が、前記ある取引の価格が前記他の既存の取引注文を第２の現在閾値以上乖離していることを示す場合、
前記第３の判断が、前記ある取引の価格が前記決定された現在の市場価格を第３の現在閾値以上乖離していることを示す場合、
のすべてが真である場合、前記ある取引注文の価格は、少なくとも１つの比較対象価格を閾値以上乖離していると判断される、請求項５８記載の方法。
【請求項６５】
１以上の市場のボラティリティを推定するステップと、
前記１以上の市場の推定されたボラティリティに少なくとも基づき、前記閾値を更新するステップと、
をさらに有する、請求項５１記載の方法。
【請求項６６】
前記あるタイプの商品に対する市場に関連する市場から構成される関連市場における価格推移を示す価格推移情報を受け付けるステップと、
前記受け付けた価格推移情報に少なくとも基づき、前記閾値を更新するステップと、
をさらに有する、請求項５１記載の方法。